(57)【要約】【課題】タッチスクリーンモジュール及び電子装置を提供する。【解決手段】本発明のタッチスクリーンモジュールは、保護カバーと、タッチを感知するために用いられるフレキシブルセンサーと、を備え、フレキシブルセンサーは保護カバー内に貼り合せられており、フレキシブルセンサーの第一位置から保護カバーの第一対応位置までの距離は第一距離であり、第一位置におけるフレキシブルセンサーの感知距離は第一距離以上である。そのため、フレキシブルセンサーは保護カバーから離れた位置のタッチを感知して応答することができ、フレキシブルセンサーはタッチブラインドエリアを有さなく、タッチスクリーンモジュールの感知精度を高める。【選択図】図１
2020501272.tif 000002
【特許請求の範囲】
【請求項１】
保護カバーと、タッチを感知するために用いられるフレキシブルセンサーと、を備え、前記フレキシブルセンサーは前記保護カバー内に貼り合せられており、前記フレキシブルセンサーの第一位置から前記保護カバーの第一対応位置までの距離は第一距離であり、前記第一位置における前記フレキシブルセンサーの感知距離は第一距離以上であることを特徴とするタッチスクリーンモジュール。
【請求項２】
前記第一位置では、前記フレキシブルセンサーは前記保護カバーと離間していることを特徴とする請求項１に記載のタッチスクリーンモジュール。
【請求項３】
前記第一位置では、前記フレキシブルセンサーは隙間によって前記保護カバーと離間していることを特徴とする請求項２に記載のタッチスクリーンモジュール。
【請求項４】
前記フレキシブルセンサーは第二位置をさらに備え、前記フレキシブルセンサーの第二位置から前記保護カバーの第二対応位置までの距離は第二距離であり、前記第二距離は前記第一距離より小さいことを特徴とする請求項１に記載のタッチスクリーンモジュール。
【請求項５】
前記フレキシブルセンサーは第二位置で前記保護カバーに貼り合せられていることを特徴とする請求項４に記載のタッチスクリーンモジュール。
【請求項６】
前記第一位置における前記フレキシブルセンサーの感知距離は、前記第二位置における前記フレキシブルセンサーの感知距離より大きいことを特徴とする請求項４に記載のタッチスクリーンモジュール。
【請求項７】
前記フレキシブルセンサーの第一位置の電圧は、前記フレキシブルセンサーの第二位置の電圧より大きいことを特徴とする請求項４に記載のタッチスクリーンモジュール。
【請求項８】
前記フレキシブルセンサーの第一位置の電圧と前記フレキシブルセンサーの第二位置の電圧は同じであることを特徴とする請求項４に記載のタッチスクリーンモジュール。
【請求項９】
前記フレキシブルセンサーの第一位置は前記フレキシブルセンサーの折り曲げ領域であり、前記保護カバーの第一対応位置は前記保護カバーの折り曲げ領域であることを特徴とする請求項１〜８のいずれか一項に記載のタッチスクリーンモジュール。
【請求項１０】
前記保護カバーの折り曲げ領域は直角領域であることを特徴とする請求項９に記載のタッチスクリーンモジュール。
【請求項１１】
前記フレキシブルセンサーの折り曲げ領域は丸みを帯びた角領域であることを特徴とする請求項９に記載のタッチスクリーンモジュール。
【請求項１２】
前記フレキシブルセンサーは非折り曲げ領域をさらに備え、前記フレキシブルセンサーの折り曲げ領域の電圧は、前記フレキシブルセンサーの非折り曲げ領域の電圧より大きいことを特徴とする請求項９に記載のタッチスクリーンモジュール。
【請求項１３】
前記フレキシブルセンサーの第一位置は前記フレキシブルセンサーの非折り曲げ領域であり、前記保護カバーの第一対応位置は前記保護カバーの折り曲げ領域であることを特徴とする請求項１〜８のいずれか一項に記載のタッチスクリーンモジュール。
【請求項１４】
前記保護カバーは球形であり、前記フレキシブルセンサーは立方体形状であり、前記フレキシブルセンサーの頂点は前記保護カバーと接触し、前記フレキシブルセンサーの非折り曲げ領域は前記フレキシブルセンサーの６つの平面であり、前記保護カバーの折り曲げ領域は前記フレキシブルセンサの６つの平面に対応する球面であることを特徴とする請求項１３に記載のタッチスクリーンモジュール。
【請求項１５】
前記フレキシブルセンサーの非折り曲げ領域の電圧は前記フレキシブルセンサーの他の位置の電圧より高いことを特徴とする請求項１３に記載のタッチスクリーンモジュール。
【請求項１６】
請求項１〜１５のいずれか一項に記載のタッチスクリーンモジュールを備えることを特徴とする電子装置。
【発明の詳細な説明】
【技術分野】
【０００１】
本発明は、電子分野に関するものであり、特にタッチスクリーンモジュール及び電子装置に関するものである。
【背景技術】
【０００２】
電子製品の性能に対して、軽量、薄型、高速が要求されるので、剛性タッチセンサーはだんだんフレキシブルタッチセンサーに替えられて、より魅力的なタッチデザインを満たすようにする。既存のタッチスクリーンモジュールは、通常、物体の平面又は二次元曲面に直接に貼り合せられる。しかしながら、タッチスクリーンモジュールを複雑な曲面又は不規則な表面に適用する場合、タッチスクリーンモジュールを複雑な曲面又は不規則な表面に貼り合せてからどのようにタッチ感度を確保するかは、業界は良い解決対策を提供していない。特にいくつかの角度位置又は直角位置に対して、既存のタッチスクリーンモジュールはタッチオブジェクトを感知することができず、タッチブラインドエリアが出現することを招く。
【発明の概要】
【０００３】
本発明の実施形態は、タッチスクリーンモジュールを提供して、タッチブラインドエリアの出現を免れる。
【０００４】
本発明は、さらに電子装置を提供する。
【０００５】
本発明はタッチスクリーンモジュールを提供する。タッチスクリーンモジュールは、保護カバーと、タッチを感知するために用いられるフレキシブルセンサーと、を備え、フレキシブルセンサーは保護カバー内に貼り合せられており、フレキシブルセンサーの第一位置から保護カバーの第一対応位置までの距離は第一距離であり、第一位置におけるフレキシブルセンサーの感知距離は第一距離以上である。
【０００６】
その中において、第一位置では、フレキシブルセンサーは保護カバーと離間している。
【０００７】
その中において、第一位置では、フレキシブルセンサーは隙間によって保護カバーと離間している。
【０００８】
その中において、フレキシブルセンサーは第二位置をさらに備え、フレキシブルセンサーの第二位置から保護カバーの第二対応位置までの距離は第二距離であり、第二距離は第一距離より小さい。
【０００９】
その中において、フレキシブルセンサーは第二位置で保護カバーに貼り合せられている。
【００１０】
その中において、第一位置におけるフレキシブルセンサーの感知距離は、第二位置におけるフレキシブルセンサーの感知距離より大きい。
【００１１】
その中において、フレキシブルセンサーの第一位置の電圧は、フレキシブルセンサーの第二位置の電圧より大きい。
【００１２】
その中において、フレキシブルセンサーの第一位置の電圧とフレキシブルセンサーの第二位置の電圧は同じである。
【００１３】
その中において、フレキシブルセンサーの第一位置はフレキシブルセンサーの折り曲げ領域であり、保護カバーの第一対応位置は保護カバーの折り曲げ領域である。
【００１４】
その中において、保護カバーの折り曲げ領域は直角領域である。
【００１５】
その中において、フレキシブルセンサーの折り曲げ領域は丸みを帯びた角領域である。
【００１６】
その中において、フレキシブルセンサーは非折り曲げ領域をさらに備え、フレキシブルセンサーの折り曲げ領域の電圧は、フレキシブルセンサーの非折り曲げ領域の電圧より大きい。
【００１７】
その中において、フレキシブルセンサーの第一位置はフレキシブルセンサーの非折り曲げ領域であり、保護カバーの第一対応位置は保護カバーの折り曲げ領域である。
【００１８】
その中において、保護カバーは球形であり、フレキシブルセンサーは立方体形状であり、フレキシブルセンサーの頂点は保護カバーと接触し、フレキシブルセンサーの非折り曲げ領域はフレキシブルセンサーの６つの平面であり、保護カバーの折り曲げ領域はフレキシブルセンサーの６つの平面に対応する球面である。
【００１９】
その中において、フレキシブルセンサーの非折り曲げ領域の電圧はフレキシブルセンサーの他の位置の電圧より高い。
【００２０】
本発明は、さらに上述したタッチスクリーンモジュールを備える電子装置を提供する。
【００２１】
本発明はタッチスクリーンモジュールを提供する。タッチスクリーンモジュールは、保護カバーと、タッチを感知するために用いられるフレキシブルセンサーと、を備える。フレキシブルセンサーは保護カバー内に貼り合せており、フレキシブルセンサーの第一位置から保護カバーの第一対応位置までの距離は第一距離であり、第一位置におけるフレキシブルセンサーの感知距離は第一距離以上である。そのため、フレキシブルセンサーは保護カバーから離れた位置のタッチを感知して応答することができ、フレキシブルセンサーはタッチブラインドエリアを有さなく、タッチスクリーンモジュールの感知精度を高める。
【図面の簡単な説明】
【００２２】
以下、本発明の実施形態に係る技術的方案をより明確に説明するために、本発明の実施形態の説明に使用される図面について簡単に説明する。明らかに、以下説明される図面は、本発明の一部の実施形態だけのものであり、当業者であれば、これらの図面から創造的な努力なしに他の図面を得ることができる。
【図１】図１は、本発明の第一方案の第一実施形態に係わるタッチスクリーンモジュールの概略図である。
【図２】図２は、本発明の第一方案の第二実施形態に係わるタッチスクリーンモジュールの概略図である。
【発明を実施するための形態】
【００２３】
以下、本発明の実施形態の添付の図面を参照しながら、本発明の実施形態の技術的方案を明確且つ完全に説明する。
【００２４】
図１を参照すると、本発明の第一方案の第一実施形態はタッチスクリーンモジュール１００を提供する。タッチスクリーンモジュール１００は、タッチを感知するために電子装置に応用される。タッチスクリーンモジュール１００は、保護カバー１０と、タッチを感知するために用いられるフレキシブルセンサー２０と、を備える。フレキシブルセンサー２０は、保護カバー１０内に貼り合せている。フレキシブルセンサー２０の第一位置２１から保護カバー１０の第一対応位置１１までの距離は第一距離である。第一位置におけるフレキシブルセンサー２０の感知距離は第一距離以上である。
【００２５】
その中において、感知距離とは、フレキシブルセンサー２０がタッチオブジェクトを感知できる最大距離を指し、この距離を越えると、フレキシブルセンサー２０はタッチオブジェクトを感知することはできない。本実施形態において、第一距離は、フレキシブルセンサー２０の第一位置２１から保護カバー１０の第一対応位置１１までの距離であり、フレキシブルセンサー２０の他の位置から保護カバーの他の対応位置までの距離以上である。感知距離は第一距離より大きいので、ユーザーがタッチオブジェクトを保護カバー１０の第一対応位置１１に接触させたとき、フレキシブルセンサー２０はタッチオブジェクトを感知してタッチ信号を生成することができる。説明しなければならないことは、本実施形態における「距離」とは、フレキシブルセンサーのある位置で、フレキシブルセンサー２０の当該位置に垂直する方向に沿って垂線を引き、垂線と保護カバー１０の交点とフレキシブルセンサー２０の当該位置との間の距離を指す。
【００２６】
特に、フレキシブルセンサー２０はフレキシブルサスペンションタッチセンサー（ｆｌｅｘｉｂｌｅ  ｓｕｓｐｅｎｓｉｏｎ  ｔｏｕｃｈ  ｓｅｎｓｏｒ）である。フレキシブルサスペンションタッチセンサーを応用する場合、タッチスクリーンに直接触れる必要はない。即ち、タッチオブジェクト（例えば、手指）をタッチディスプレイパネルの画面に直接触れることを必要としなく、手指が空中にあっても、マウスのように感知することができる。サスペンションタッチは、主にフレキシブルセンサーが発生する自己容量によって実現される。もちろん、赤外線、音波などを採用してサスペンションタッチを実現することもできる。
【００２７】
本実施形態において、第一位置では、フレキシブルセンサー２０は保護カバー１０と離間している。具体的には、第一位置では、フレキシブルセンサー２０は隙間によって保護カバー１０と離間している。フレキシブルセンサー２０はさらに第二位置２２を備えることができる。フレキシブルセンサー２０の第二位置２２から保護カバー１０の第二対応位置１２までの距離は第二距離である。前記第一距離は前記第二距離より大きい。第二位置１２におけるフレキシブルセンサー２０の感知距離は第二距離以上である。第一位置２１の電圧と第二位置２２の電圧は同じであるので、第一位置２１におけるフレキシブルセンサー２０の感知距離と第二位置２２におけるフレキシブルセンサー２０の感知距離は同じである。第一位置２１の電圧と第二位置２２の電圧は異なることができると理解されるべきである。即ち、第一位置２１の電圧は第二位置２２の電圧より大きく、従って第一位置２１におけるフレキシブルセンサー２０の第一感知距離は第二位置２２におけるフレキシブルセンサー２０の第二感知距離より大きい。
【００２８】
その中において、フレキシブルセンサー２０は第二位置２２で保護カバー１０に貼り合せられている。
【００２９】
なお、保護カバー１０は立方体形状である。フレキシブルセンサー２０の原理は、可撓性基板上に透明導電材料を付着することであるので、導電材料が９０度に曲げられると、導電材料は破損してセンサーの故障を招く可能性がある。そのため、フレキシブルセンサー２０を９０度の直角に折り曲げることができないので、貼り合せる時に一定の角度を保証することを必要とする。例えば、フレキシブルセンサー２０は、９０度に折り曲げる必要がある位置で円弧状に形成されることができる。
【００３０】
本実施形態において、フレキシブルセンサー２０の第一位置２１はフレキシブルセンサー２０の折り曲げ領域であり、保護カバー１０の第一対応位置１１は保護カバー１０の折り曲げ領域である。具体的には、保護カバー１０の折り曲げ領域は、直角領域（又は角領域）である。フレキシブルセンサー２０の折り曲げ領域と保護カバー１０の折り曲げ領域は隙間によって離間されており、フレキシブルセンサー２０の非折り曲げ領域と保護カバー１０の非折り曲げ領域はぴったり貼り合せている。フレキシブルセンサー２０を支持するために、隙間内に接着剤などのような材料を充填することができると理解されるべきである。フレキシブルセンサー２０の折り曲げ領域は丸みを帯びた角領域である。
【００３１】
フレキシブルセンサー２０の第一位置２１から保護カバー１０の第一対応位置１１までの距離は第一距離である。第一距離は第一位置におけるフレキシブルセンサー２０の感知距離以下であるので、フレキシブルセンサー２０は保護カバー１０から離れた位置のタッチを感知して応答することができ、フレキシブルセンサー２０はタッチブラインドエリアを有さなく、タッチスクリーンモジュール１００の感知精度を高める。
【００３２】
フレキシブルセンサー２０は、非折り曲げ領域をさらに備える。フレキシブルセンサー２０の折り曲げ領域の電圧はフレキシブルセンサー２０の非折り曲げ領域の電圧より高いので、折り曲げ領域におけるフレキシブルセンサー２０の感知距離は非折り曲げ領域におけるフレキシブルセンサー２０の感知距離より大きい。
【００３３】
なお、フレキシブルセンサー２０の折り曲げ領域は保護カバー１０の直角領域からより遠く離れているが、折り曲げ領域におけるフレキシブルセンサー２０の感知距離はより大きいので、依然として保護カバー１０の直角領域のタッチを感知して応答することができる。
【００３４】
図２に示されたように、本発明の第一方案の第二実施形態はタッチスクリーンモジュール２００を提供する。第二実施形態に係わるタッチスクリーンモジュール２００は、第一実施形態に係わるタッチスクリーンモジュール１００と類似し、両者の区別は、第二実施形態において、フレキシブルセンサー２２０の第一予定位置２２２はフレキシブルセンサーの非折り曲げ領域であり、保護カバー２１０の第一対応位置は保護カバーの折り曲げ領域である。
【００３５】
具体的には、保護カバー２１０は球形である。フレキシブルセンサー２２０は立方体形状である。フレキシブルセンサー２２０の頂点２２１（フレキシブルセンサー２２０の３つの平面の接合領域である）は保護カバー２１０と接触する。フレキシブルセンサー２２０の非折り曲げ領域２２２はフレキシブルセンサー２１０の６つの平面である。保護カバー２１０の折り曲げ領域は、フレキシブルセンサー２１０の６つの平面に対応する球面である。フレキシブルセンサー２２０の非折り曲げ領域と保護カバー２１０の折り曲げ領域は隙間によって離間されている。もちろん、隙間内に材料を充填することができる。
【００３６】
なお、フレキシブルセンサー２２０の６つの平面を１つの立方体に組み合わせるので、フレキシブルセンサー２２０は立方体形状である。
【００３７】
前の実施形態と同様に、第一位置２２２におけるフレキシブルセンサー２２０の感知距離は、第一位置２２２から保護カバー２１０の対応位置までの距離以上である。そのため、フレキシブルセンサー２２０の６つの平面に対応する保護カバー２１０の球面をタッチしても、フレキシブルセンサー２２０の平面は感知して応答することができる。同時に、本方案は、フレキシブルセンサーを三次元曲面に貼り合せることができない問題を解決した。もちろん、フレキシブルセンサー２２０も第二位置を備えることができ、第二位置におけるフレキシブルセンサー２２０の感知距離は、第一位置におけるフレキシブルセンサー２２０の感知距離以下であることができる。
【００３８】
フレキシブルセンサー２２０の非折り曲げ領域の電圧は、フレキシブルセンサー２２０の他の位置の電圧より高い。
【００３９】
本発明の第二方案の実施形態は、タッチスクリーンモジュールを備える電子装置を提供する。タッチスクリーンモジュールは、第一方案の第一実施形態によって提供されるタッチスクリーンモジュール１００又は第二実施形態によって提供されるタッチスクリーンモジュール２００であることができる。タッチスクリーンモジュール１００又は２００は、上述した第一方案で詳細に説明されているので、ここでは詳しく説明しない。
【００４０】
本実施形態において、電子装置は、タッチスクリーンモジュール１００を備える。タッチスクリーンモジュール１００は、フレキシブルセンサー２０及び保護カバー１０を備える。フレキシブルセンサー２０の第一位置２１から保護カバー１０の第一対応位置１１までの距離は第一距離である。第一距離は第一位置におけるフレキシブルセンサー２０の感知距離以下であるので、フレキシブルセンサー２０は保護カバー１０から離れた位置のタッチを感知して応答することができ、フレキシブルセンサー２０はタッチブラインドエリアを有さなく、タッチスクリーンモジュール１００の感知精度を高める。
【００４１】
本発明で呼ばれる「保護カバー」という用語は、フレキシブルセンサーを保護するためにフレキシブルセンサーの外側に包まれた物体を指すと理解されるべきである。保護カバーの厚さ、剛性、材質などは、実際の需要によって選択することができる。すなわち、保護カバーは、薄膜層であることができ、厚板層であることもできる。保護カバーは、剛性材質であることができ、可撓性材質であることもできる。保護カバーは、透明材料であることができ、不透明材料であることもできる。
【００４２】
上述したのは本発明の好ましい実施形態であり、当業者であれば、本発明の原理を逸脱しない範囲内でいくつかの修正及び改良を行うことができ、このような修正及び改良も本発明の範囲に属するものである。
【図１】
2020501272.tif 000003
【図２】
2020501272.tif 000004
【手続補正書】
【提出日】令和1年6月5日(2019.6.5)
【手続補正１】
【補正対象書類名】明細書
【補正対象項目名】００２５
【補正方法】変更
【補正の内容】
【００２５】
その中において、感知距離とは、フレキシブルセンサー２０がタッチオブジェクトを感知できる最大距離を指し、この距離を越えると、即ちタッチオブジェクトがフレキシブルセンサ２０の感知できる最大距離を超える位置にあるとき、フレキシブルセンサー２０はタッチオブジェクトを感知することはできない。本実施形態において、第一距離は、フレキシブルセンサー２０の第一位置２１から保護カバー１０の第一対応位置１１までの距離であり、フレキシブルセンサー２０の他の位置から保護カバー１０の他の対応位置までの距離以上である。感知距離は第一距離より大きいので、ユーザーがタッチオブジェクトを保護カバー１０の第一対応位置１１に接触させたとき、フレキシブルセンサー２０はタッチオブジェクトを感知してタッチ信号を生成することができる。説明しなければならないことは、本実施形態における「距離」とは、フレキシブルセンサー２０のある位置で、フレキシブルセンサー２０の当該位置に垂直する方向に沿って垂線を引き、垂線と保護カバー１０の交点とフレキシブルセンサー２０の当該位置との間の距離を指す。
【手続補正２】
【補正対象書類名】明細書
【補正対象項目名】００２６
【補正方法】変更
【補正の内容】
【００２６】
特に、フレキシブルセンサー２０はフレキシブルサスペンションタッチセンサー（ｆｌｅｘｉｂｌｅ  ｓｕｓｐｅｎｓｉｏｎ  ｔｏｕｃｈ  ｓｅｎｓｏｒ）である。フレキシブルサスペンションタッチセンサーを応用する場合、タッチスクリーンに直接触れる必要はない。即ち、タッチオブジェクト（例えば、手指）をタッチディスプレイパネルの画面に直接触れることを必要としなく、手指が空中にあっても、マウスのように感知することができる。サスペンションタッチは、主にフレキシブルセンサー２０が発生する自己容量によって実現される。もちろん、赤外線、音波などを採用してサスペンションタッチを実現することもできる。
【手続補正３】
【補正対象書類名】明細書
【補正対象項目名】００２７
【補正方法】変更
【補正の内容】
【００２７】
本実施形態において、第一位置２１では、フレキシブルセンサー２０は保護カバー１０と離間している。具体的には、第一位置２１では、フレキシブルセンサー２０は隙間によって保護カバー１０と離間している。フレキシブルセンサー２０はさらに第二位置２２を備えることができる。フレキシブルセンサー２０の第二位置２２から保護カバー１０の第二対応位置１２までの距離は第二距離である。前記第一距離は前記第二距離より大きい。第二位置２２におけるフレキシブルセンサー２０の感知距離は第二距離以上である。第一位置２１の電圧と第二位置２２の電圧は同じであるので、第一位置２１におけるフレキシブルセンサー２０の感知距離と第二位置２２におけるフレキシブルセンサー２０の感知距離は同じである。第一位置２１の電圧と第二位置２２の電圧は異なることができると理解されるべきである。即ち、第一位置２１の電圧は第二位置２２の電圧より大きく、従って第一位置２１におけるフレキシブルセンサー２０の第一感知距離は第二位置２２におけるフレキシブルセンサー２０の第二感知距離より大きい。
【手続補正４】
【補正対象書類名】明細書
【補正対象項目名】００３１
【補正方法】変更
【補正の内容】
【００３１】
フレキシブルセンサー２０の第一位置２１から保護カバー１０の第一対応位置１１までの距離は第一距離である。第一距離は第一位置２１におけるフレキシブルセンサー２０の感知距離以下であるので、フレキシブルセンサー２０は保護カバー１０から離れた位置のタッチを感知して応答することができ、フレキシブルセンサー２０はタッチブラインドエリアを有さなく、タッチスクリーンモジュール１００の感知精度を高める。
【手続補正５】
【補正対象書類名】明細書
【補正対象項目名】００３４
【補正方法】変更
【補正の内容】
【００３４】
図２に示されたように、本発明の第一方案の第二実施形態はタッチスクリーンモジュール２００を提供する。第二実施形態に係わるタッチスクリーンモジュール２００は、第一実施形態に係わるタッチスクリーンモジュール１００と類似し、両者の区別は、第二実施形態において、フレキシブルセンサー２２０の第一位置２２２はフレキシブルセンサー２２０の非折り曲げ領域であり、保護カバー２１０の第一対応位置は保護カバー２１０の折り曲げ領域である。
【手続補正６】
【補正対象書類名】明細書
【補正対象項目名】００３５
【補正方法】変更
【補正の内容】
【００３５】
具体的には、保護カバー２１０は球形である。フレキシブルセンサー２２０は立方体形状である。フレキシブルセンサー２２０は６つの頂点２２１と６つの平面を有する。フレキシブルセンサー２２０の頂点２２１（フレキシブルセンサー２２０の３つの平面の接合領域である）は保護カバー２１０と接触する。フレキシブルセンサー２２０の非折り曲げ領域２２２はフレキシブルセンサー２２０の６つの平面である。保護カバー２１０の折り曲げ領域は、フレキシブルセンサー２２０の６つの平面に対応する球面である。フレキシブルセンサー２２０の非折り曲げ領域２２２と保護カバー２１０の折り曲げ領域は隙間によって離間されている。もちろん、隙間内に材料を充填することができる。
【手続補正７】
【補正対象書類名】明細書
【補正対象項目名】００３７
【補正方法】変更
【補正の内容】
【００３７】
前の実施形態と同様に、第一位置２２２におけるフレキシブルセンサー２２０の感知距離は、第一位置２２２から保護カバー２１０の対応位置までの距離以上である。そのため、フレキシブルセンサー２２０の６つの平面に対応する保護カバー２１０の球面をタッチしても、フレキシブルセンサー２２０の平面はそのタッチを感知して応答することができる。同時に、本方案は、フレキシブルセンサーを三次元曲面に貼り合せることができない問題を解決した。もちろん、フレキシブルセンサー２２０も第二位置を備えることができ、第二位置におけるフレキシブルセンサー２２０の感知距離は、第一位置２２２におけるフレキシブルセンサー２２０の感知距離以下であることができる。
【手続補正８】
【補正対象書類名】明細書
【補正対象項目名】００３９
【補正方法】変更
【補正の内容】
【００３９】
本発明の第二方案の実施形態は、タッチスクリーンモジュールを備える電子装置を提供する。タッチスクリーンモジュールは、第一方案の第一実施形態によって提供されるタッチスクリーンモジュール１００又は第一方案の第二実施形態によって提供されるタッチスクリーンモジュール２００であることができる。タッチスクリーンモジュール１００又は２００は、上述した第一方案で詳細に説明されているので、ここでは詳しく説明しない。
【手続補正９】
【補正対象書類名】明細書
【補正対象項目名】００４０
【補正方法】変更
【補正の内容】
【００４０】
本実施形態において、電子装置は、タッチスクリーンモジュール１００を備える。タッチスクリーンモジュール１００は、フレキシブルセンサー２０及び保護カバー１０を備える。フレキシブルセンサー２０の第一位置２１から保護カバー１０の第一対応位置１１までの距離は第一距離である。第一距離は第一位置２１におけるフレキシブルセンサー２０の感知距離以下であるので、フレキシブルセンサー２０は保護カバー１０から離れた位置のタッチを感知して応答することができ、フレキシブルセンサー２０はタッチブラインドエリアを有さなく、タッチスクリーンモジュール１００の感知精度を高める。  
【国際調査報告】
2020501272.tif 000005
2020501272.tif 000006
2020501272.tif 000007
2020501272.tif 000008
2020501272.tif 000009
2020501272.tif 000010